(57)【要約】【課題】従来、草取り等の園芸作業に使う鎌、鍬、熊手等の用具は、それぞれ用途別に使い分ける別々の用具であった。鍬と熊手が１個にまとめてあるものは、全体が重く、別種類の刃が相互に別方向に向いているため、作業にかかる重さのバランスがとれず、身体に余分な力を強いることが多かった。主な３種類の作業用途に応じて、１本の用具で済ませる、身体にも負担の軽い構造の手作業用具を提供する。【解決手段】錆びにくく、細く軽量の３本の金属平棒製のＬ型状の刃を３段重ねにして柄を取付け、３本の刃を扇状に相互の間隔調整自在に締め開きして、カマ、クワ、熊手として、用途に応じて自由に使い替えできることを特徴とするカマ、クワ変幻熊手。【選択図】図２
2013230134.tif 000002
【特許請求の範囲】
【請求項１】
錆びにくい材質の３本の金属平棒を、刃床と刃の長さを３：２程の比率でＬ型に形成し、３本を３段に重ね合わせた時に、刃床の手前端及び上刃・中刃・下刃の刃先がピッタリ揃うような長さに形成し、刃床の手前端寄りの位置に刃床取付け孔を設け、上刃と中刃は共に刃先に向かって徐々に細く形成し、下刃は真ん中程から次第に末広になり、先端幅が３倍程の平ヘラ状刃先を成し、先端縁も左右側縁もヘラ周縁全体が鋭利な鎌刃となるのであり、柄は真ん中程の位置から先端まで幅広コの字状・左右前方に開口したくり抜き部を形成し、くり抜き部の中間点程の位置に、上下に貫通するボルト固定穴を設け、くり抜き部の上下の空間幅は、刃床３本が重なり合った厚さに相当し、ここに３段重ねになった刃床を嵌め込み、刃床取付け孔とボルト固定穴を合わせ、蝶ボルト、ワッシャー、スプリングワッシャー、ナットで固定するのであるが、このように３段に重なった３本の金属平棒は、蝶ボルトの緩め−締めの操作で、用途に応じて１本の刃のカマ、２股刃のクワ、３股刃の熊手に自在に姿を変えて対応するできる事を特徴とするカマ、クワ変幻熊手。
【発明の詳細な説明】
【技術分野】
【０００１】  刃形を自在に変化させて、カマにもクワにも熊手にもなる園芸用具に関するものである。
【背景技術】
【０００２】  従来、カマ、クワ、熊手はそれぞれの用途に応じた別々の用具として利用されているのが一般的である。一本の柄の先端に二つの金鍬を備えた農具（特許文献１参照）や熊手の刃間の幅を調節できる（特許文献２参照）なども知られている。又、一つの刃床に鍬と熊手の刃型を背中合わせに設けたもの（特許文献３参照）等も知られている。
【先行技術文献】
【特許文献】
【０００３】
【特許文献１】特許公開２０１１−１６０７８２号公報
【特許文献２】特許公開２００１−２９２６１２号公報
【特許文献３】登録実用新案３１２４３７７号公報
【発明の概要】
【発明が解決しようとする課題】
【０００４】  従来のカマ、クワ、熊手は形状の違いはあっても、それぞれの用途に応じ使い分けて使用していたが、作業内容によっては何種類もの用具が必要であった。参考文献３のように、一つの刃床に異なる用途の刃型を設けたものは、刃床が大きく重くなり、使う時もバランスがとりにくく、余計な腕力を必要とした。
本発明は、以上の問題点を解決するものである。
【課題を解決するための手段】
【０００５】  錆びにくい材質の３本の金属平棒を、刃床と刃の長さを３：２程の比率でＬ型に形成し、３本を３段に重ね合わせた時に、刃床の手前端及び上刃・中刃・下刃の刃先がピッタリ揃うような長さに形成し、刃床の手前端寄りの位置に刃床取付け孔を設ける。上刃と中刃は共に刃先に向かって徐々に細く形成し、下刃は真ん中程から次第に末広になり、先端幅が３倍程の平ヘラ状刃先を成し、先端縁も左右側縁もヘラ周縁全体が鋭利な鎌刃となる。柄は真ん中程の位置から先端まで幅広コの字状・左右前方に開口したくり抜き部を形成し、くり抜き部の中間点程の位置に、上下に貫通するボルト固定穴を設ける。くり抜き部の上下の空間幅は、刃床３本が重なり合った厚さに相当し、ここに３段重ねになった刃床を嵌め込み、刃床取付け孔とボルト固定穴を合わせ、蝶ボルト、ワッシャー、スプリングワッシャー、ナットで固定する。このように３段に重なった３本の金属平棒は、蝶ボルトの緩め−締めの操作で、用途に応じて１本の刃のカマ、２股刃のクワ、３股刃の熊手に自在に姿を変えて対応する。
以上を特徴とするカマ、クワ変幻熊手である。
【発明の効果】
【０００６】  （イ）本発明により、１本の柄で３種の目的を達成することができる。
（ロ）カマとして使用の際は刃を３本まとめて重ね合わせ固定することにより、平ヘラ状刃先を使って草等を切断できる。
（ハ）クワとして使用する際は、刃を２股に固定し、土等を耕すことができる。
（ニ）熊手として使用の際は、刃を３股に固定し、目標物をまとめかき集めることができる。
（ホ）蝶ボルトにより、しっかり固定が出来るので自由自在に狭めたり、広げたりできる。
（ヘ）細く軽い金属平棒製なので、腕や足腰に過剰な負担をかけずに作業が楽しくできる。
【図面の簡単な説明】
【０００７】
【図１】本発明の刃を重ね合わせた状態を示す斜視図
【図２】本発明の刃を３股に広げた状態を示す斜視図
【図３】本発明の一部である柄の構造図
【図４】本発明の一部である金属平棒の構造図
【図５】本発明の断面構造図
【発明を実施するための形態】
【０００８】  以下、本発明の実施の形態を説明する。
錆びにくい材質の３本の金属平棒（１）を、刃床（２）と刃の長さを３：２程の比率でＬ型に形成し、３本を３段に重ね合わせた時に、刃床（２）の手前端及び上刃（３）・中刃（４）・下刃（５）の刃先がピッタリ揃うような長さに形成し、刃床（２）の手前端寄りの位置に刃床取付け孔（７）を設ける。上刃（３）と中刃（４）は共に刃先に向かって徐々に細く形成し、下刃（５）は真ん中程から次第に末広になり、先端幅が３倍程の平ヘラ状刃先（６）を成し、先端縁も左右側縁もヘラ周縁全体が鋭利な鎌刃となる。柄（８）は真ん中程の位置から先端まで幅広コの字状・左右前方に開口したくり抜き部（１０）を形成し、くり抜き部（１０）の中間点程の位置に、上下に貫通するボルト固定穴（９）を設ける。くり抜き部（１０）の上下の空間幅は、刃床（２）３本が重なり合った厚さに相当し、ここに３段重ねになった刃床（２）を嵌め込み、刃床取付け孔（７）とボルト固定穴（９）を合わせ、蝶ボルト（１１）、ワッシャー（１３）、スプリングワッシャー（１４）、ナット（１２）で固定する。
本発明は、以上のような構造であり、以下、実施形態を説明する。
（イ）カマとして使用するときは、蝶ボルト（１１）を緩めて上刃（３）、中刃（４）、下刃（５）の３本を１本に重ね合わせ、蝶ボルト（１１）を締めて固定し、主に下刃（５）の平ヘラ状刃先（６）を用いて雑草等を切断する。
（ロ）クワとして使用する時は、同様の手順で３本の刃を２股に固定して使う。
（ハ）熊手として使用する時は、同様の手順で３本の刃を３股に固定して使えば良い。
（ニ）クワや熊手として使用する際の刃と刃の間隔は、作業対象物の性質や土の状況等に合わせ、蝶ボルト（１１）の微調整で臨機応変に対処すればよい。
（ホ）いずれの用途においても、細く軽い金属平棒（１）製の用具なので、腕や足腰に過重な負担がかかる事はなく、手軽に楽しく作業ができる。
【符号の説明】
【０００９】１金属平棒、  ２刃床、  ３上刃、  ４中刃、  ５下刃、  ６平ヘラ状刃先、  ７刃床取付け孔、  ８柄、  ９ボルト固定穴、  １０くり抜き部、  １１蝶ボルト、  １２ナット、  １３ワッシャー、  １４スプリングワッシャー
【図１】
2013230134.tif 000003
【図２】
2013230134.tif 000004
【図３】
2013230134.tif 000005
【図４】
2013230134.tif 000006
【図５】
2013230134.tif 000007